(57)【要約】本発明は標準的なインターネットコンテンツ及び／又はサービスへのアクセス及びこれらの視覚化のための移動通信システムに関する。該システムは無線データ通信に適合したいくつかの移動ネットワークを介して通信中央局５と協働する端末からなる。該システムは移動端末１がプリント装置１１に接続可能であり、通信中央局５はインターネット２７に接続され、この通信中央局に記憶されたソフトウェアーアプリケーションがユーザーによって要請されたインターネットコンテンツ及び／又はサービスを１つ以上のプリントファイルに変換することを特徴とする。これらのファイルは、その後無線でプリント装置１１に送られ、これによりユーザーは移動端末１にプログラムアプリケーションを記憶させてなくともこれらプリントファイルをプリントすることができる。
2004511989.tif 000002
【特許請求の範囲】
【請求項１】
通信中央局と協働する移動端末からなり、無線通信用のいくつかの移動ネットワークを介して標準のインターネットコンテンツ及び／又はサービスをアクセス及び視覚化するための移動通信システムにおいて、移動端末（１）が内蔵の又は別個のプリント装置（１１）を含み、通信中央局（５）はインターネット（２７）に接続され、通信中央局（５）に記憶されたソフトウェアーアプリケーションが、ユーザーによって要請されたインターネットコンテンツ及び／又はサービスを無線でユーザーの移動端末に送られる１つ以上のプリントファイルに変換し、これにより移動端末（１）が、プログラムアプリケーションを記憶していなくても前記プリントファイルをプリントできることを特徴とする移動通信システム。
【請求項２】
データベース（２２）が、識別のために設定され、前記データベースはユーザーによって残された又は集められた情報を含み、この情報は、その後カスタマイズされたコンテンツを各ユーザーに配信するのに使用されることを特徴とする請求項１記載の移動通信システム。
【請求項３】
インターネットコンテンツ及び／又はサービスに関する問い合わせが、ＷＡＰに適合した移動端末（１５）から中央局（５）に接続された関連するＷＡＰブリッジ（２３）を介して行われることを特徴とする請求項１又は２いずれか１項記載の移動通信システム。
【請求項４】
インターネットコンテンツ及び／又はサービスに関する問い合わせが、移動端末（１５）から中央通信局（５）に接続されたＳＭＳブリッジを有するＳＭＳサービスを介して行われることを特徴とする請求項１乃至３いずれか１項記載の移動通信システム。
【請求項５】
インターネットコンテンツ及び／又はサービスに関する問い合わせが、移動端末（１５）から音声制御されたインターフェースを介して通信中央局（５）へと行われることを特徴とする請求項１乃至４いずれか１項記載の移動通信システム。
【請求項６】
標準インターネットコンテンツ及び／又はサービスをアクセスする又は視覚化する方法において、要求されたインターネットコンテンツ及び／又はサービスが、通信中央局（５）に記憶されたソフトアプリケーションによって１つ以上のプリントファイルに変換され、これらプリントファイルは、その後無線で内蔵された又は別個のプリント装置（１１）を有する特別な移動端末（１）へと送られ、この移動端末がそれにプログラムアプリケーションが記憶されていなくても前記プリントファイルをプリントすることができることを特徴とする方法。
【請求項７】
インターネットコンテンツに関する問い合わせを誰かがウェブアドレス、検索条件又は他のいくつかの類似の問い合わせを含むＳＭＳメッセージを書いたＳＭＳサービスによって行うことができ、そのメッセージはＳＭＳブリッジ２４を介して通信中央局（５）へと送られ、前記問い合わせの答えが、プリントファイルの形でユーザーの移動端末（１）へと送られることを特徴とする請求項６記載の方法。
【請求項８】
インターネットコンテンツに関する問い合わせをＷＡＰプロトコルによって行うことができ、前記問い合わせがＷＡＰブリッジ（２５）を介して通信中央局（５）に到達し、その答えがプリントファイルの形でユーザーの移動端末（１）へと送られることを特徴とする請求項６記載の方法。
【請求項９】
インターネットコンテンツに関する問い合わせを電話によって行うことができ、前記問い合わせが音声制御されたインターフェース（２６）を介して通信中央局（５）へと到達し、その答えがプリントファイルの形でユーザーの移動端末（１）へと送られることを特徴とする請求項６記載の方法。
【請求項１０】
通信中央局と協働する移動端末からなり、無線通信用のいくつかの移動ネットワークを介して標準のインターネットコンテンツ及び／又はサービスをアクセス及び視覚化するための移動通信システムにおいて、移動端末（１）がプリント装置（１１）に接続可能であり、通信中央局（５）がインターネット（２７）に接続され、前記通信中央局に記憶されたソフトウェアーアプリケーションが、ユーザーによって要請されたインターネットコンテンツ及び／又はサービスを前記プリント装置に無線で送られる１つ以上のプリントファイルに変換し、これによりユーザーは、前記移動端末にプログラムアプリケーションが記憶されていなくても前記プリントファイルをプリントすることができることを特徴とする移動通信システム。
【請求項１１】
前記プリントファイルが、前記移動端末を介して前記プリント装置に送られることを特徴とする請求項１０記載の移動通信システム。
【請求項１２】
前記プリントファイルが、前記プリント装置に直接送られることを特徴とする請求項１０記載の移動通信システム。
【請求項１３】
前記プリント装置が、前記移動端末に内蔵されていることを特徴とする請求項１１又は１２記載の移動通信システム。
【請求項１４】
前記プリント装置が、前記移動端末と別個に設けられていることを特徴とする請求項１１又は１２記載の移動通信システム。
【請求項１５】
データベース（２２）が、識別のために設定され、前記データベースがユーザーによって残された又は集められた情報を含み、この情報が、カスタマイズされたコンテンツを関連するユーザーに配信するために使用されることを特徴とする請求項１０乃至１４いずれか１項記載の移動通信システム。
【請求項１６】
インターネットコンテンツ及び／又はサービスに関する問い合わせが、ＷＡＰに適合した移動端末（１５）から前記通信中央局に接続されたＷＡＰブリッジ（２３）を介して行われることを特徴とする請求項１０乃至１５いずれか１項記載の移動通信システム。
【請求項１７】
インターネットコンテンツ及び／又はサービスに関する問い合わせが、移動端末（１５）から前記通信中央局に接続されたＳＭＳブリッジを有するＳＭＳサービスを介して行われることを特徴とする請求項１０乃至１６いずれか１項記載の移動通信システム。
【請求項１８】
インターネットコンテンツ及び／又はサービスに関する問い合わせが、移動端末（１５）から音声制御されたインターフェースを介して前記通信中央局へと行われることを特徴とする請求項１０乃至１７いずれか１項記載の移動通信システム。
【発明の詳細な説明】
【０００１】
本発明は、無線データ通信に適用した移動ネットワークを介して通信局と協働する移動端末からなる標準的なインターネットコンテンツ及びサービスにアクセス及びこれらを視覚化するためのモバイルシステムに関する。
【０００２】
本発明はまた携帯移動端末間及び地上基地局、固定式電話接続（ｃｏｎｎｅｃｔｉｏｎ）、インターネット／イントラネットサーバー又は他の移動端末への無線データ通信に使用される移動通信システムに関する。
【０００３】
無線通信は情報を表示する上で固定式通信とは全く異なる要件を満たすことを要求される。移動端末の移動性は、移動端末及びそのスクリーンの寸法に影響される。移動端末のスクリーンは、インターネットからの標準的なデータコンテンツを表示するには小さすぎる。
【０００４】
データ端末の小さいスクリーン用にインターネットコンテンツを「最適化（ｏｐｔｉｍｉｚａｔｉｏｎ）」する新しいプロトコルが推進されている。この最適化は、原則的には小さなスクリーンにも対応できるように情報の小型化から構成されている。ＷＡＰ（Ｗｉｒｅｌｅｓｓ Ａｐｐｌｉｃａｔｉｏｎ Ｐｒｏｔｏｃｏｌ）は、無線通信環境における制限に適用するために開発されたプロトコルの１つである。
【０００５】
スクリーンの大きさとは別の他の制限は、ＨＴＴＰ及びＴＣＰなどの標準的インターネットが間欠的受信範囲（ｉｎｔｅｒｍｉｔｔｅｎｔ ｃｏｖｅｒａｇｅ）に適合しておらず、待機時間が長く且つ帯域幅が限られており、これらは無線通信特有のものである。
【０００６】
ＨＴＴＰは、圧縮されたバイナリーフォーマットの代わりに不十分なテキストフォーマットでコマンドを送る。
【０００７】
無線システムが直面している別の問題は、インターネット上の情報の増加部分がウェブブラウザーに都合のよいフォーマット（ＨＴＭＬ、ＸＭＬ、ＧＩＦ、ＪＰＧ等）以外のファイルフォーマットで提示されるということである。これらのより一般的なファイルフォーマットの例としてＰＤＦ、ＤＯＣ、ＸＬＳ、ＴＩＦＦ、ＥＰＳ及びプラグインと呼ばれる特別な又はウェブブラウザーへの追加のプログラムによって扱われるファイルフォーマットなどが挙げられる。これらの異なるファイルフォーマットは、受信者側の端末に特別なアプリケーションがインストールされていなければならず、これらのアプリケーションは、メモリースペースを多く取り、処理能力に高いものが要求される。無線端末はこれら全てのアプリケーションを適切に処理することができず、できたとしてもそれらのスクリーンはコンテンツを充分に表示することができない。
【０００８】
本発明の目的は、標準的なインターネットコンテンツ及びサービスを使用者の位置にかかわらず得ることができ且つ視覚化できる移動端末からなる移動通信システムを提供することである。
【０００９】
本発明の目的は、通信中央局と協働する移動端末からなり、無線通信用のいくつかの移動ネットワークを介して標準のインターネットコンテンツ及び／又はサービスをアクセス及び視覚化するための移動通信システムにおいて、移動端末が内蔵の又は別個のプリント装置を含み、通信中央局はインターネットに接続され、通信中央局に記憶されたソフトウェアーアプリケーションが、ユーザーによって要請されたインターネットコンテンツ及び／又はサービスを無線でユーザーの移動端末に送られる１つ以上のプリントファイルに変換し、これにより移動端末が、プログラムアプリケーションを記憶していなくても前記プリントファイルをプリントできることを特徴とする移動通信システムによって達成される。
【００１０】
本発明の他の目的は、以下の説明によって明らかになる。
【００１１】
移動端末に印刷装置を設けることによって小さなスクリーンよりもかなり大きい領域で情報を提示することができる。さらに情報はコンピュータースクリーン上よりも印刷面上の方がより明確に表示される。
【００１２】
このような端末が必要とする唯一のファイルは、ＰＲＮ又はいわゆるプリントファイルである。インターネット上の全ての既存のファイルフォーマットからプリントファイルへの変換は、サーバーレベルで行われる。これにより移動端末のハードウェアー及びソフトウェアーの構造が非常に単純になり、製造コストを低く抑えることができる。これに対してサーバーは必要なアプリケーションを記憶し強力になり、これらのアプリケーションは全ての既存のファイルフォーマットを変換するのに必要とされる。
【００１３】
ここで提案する移動通信システムは、すべての既存の通信方法を介して質問（ｉｎｑｕｉｒｙ）を提示することができるので汎用性が非常に高い。その質問に対する答えはプリントファイルの形で提示される。質問をするための方法としては、ＷＡＰ、ＳＭＳ、ＷＥＢ又は通常の電話を掛けて行うものなどが挙げられる。質問は、ある特定の事象が起こったとき直ぐにアクティブ状態になる潜在文字（ｌａｔｅｎｔ ｃｈａｒａｃｔｅｒ）の形態であってもよい。この種の質問の例としては、Ｅ−メール、Ｅ−メールメッセージに添付された形態のファックスメッセージ及び会報（ｎｅｗｓｌｅｔｔｅｒ）の送信が挙げられる。
【００１４】
本発明のシステムの態様は、従属請求項に記載されている。
【００１５】
本発明を添付の図面を参照した以下の実施例によって具体的に説明する。
【００１６】
図１に示す移動端末１は、通信中央局（ｃｏｍｍｕｎｉｃａｔｉｏｎ ｃｅｎｔｒａｌ）５へ及び通信中央局５から基地局コントローラー４を介した地上基地局３との無線データ通信のための通信ユニット２からなる。本発明は、地上基地局との無線通信に限定されるものではなく、衛星を使った無線通信でも同じように機能する。その場合、移動端末１は地上基地局と通信する代わりに衛星と通信する。
【００１７】
移動端末１は、ユーザーの識別のためのＳＩＭモジュール６と、移動端末１の全てのプロセスを制御するデータプロセッサー又はマイクロコントローラー７と、着信データを記憶するためのメモリーユニット８と、受信プリントファイルの視覚化のためのグラフィカルスクリーン９と、着信プリントファイルに関しての忠告信号を発するサウンドモジュール１０とから構成される。本発明の移動端末１の最も重要な特徴の１つは、着信プリントファイルをプリントアウト面１２に変換するプリント装置１１である。移動端末１の他の部分は、バッテリー形状のエネルギー源１３と移動端末１の異なる機能を制御するための一組のコマンドボタン１４である。
【００１８】
図２に示す移動端末は、別の移動端末１５と無線データ通信のための通信ユニット２から構成され、この別の移動端末１５はさらに基地局コントローラー４を介して通信中央局に接続された地上基地局３からのデータを受けることができる（衛星と通信することができる）。
【００１９】
図３に示す通信中央局５は、サーバー部分２０と、顧客部分２１と、ＷＡＰブリッジ２３と、ＳＭＳブリッジ２４と、音声制御されるインターフェース２５と、データベース２２と、ＰＯＰサーバー部分２９と変換ユニット２８とから構成される。
【００２０】
ユーザーはインターネット２７上で見つけられる特定のウェブサイト、ファイル又はサービスについての問い合わせを通信中央局５に送る。この問い合わせは、異なる方法で行うことができる。例えば、ＷＡＰ、ＳＭＳ、ＷＥＢによって又は公衆交換電話網（ＰＳＴＮ）を用いた通常の有線電話によって行うことができる。どの種類の通信チャネルが使用されるかによって、問い合わせは異なるブリッジ又はインターフェース２３、２４、２５の内の１つを介してＳＩＭ基準のコーリング（ｃａｌｌｉｎｇ）ライン認識、ＩＰナンバー又はいくつかの他の方法を介して、その問い合わせの送り主を識別する。データベース２２には、ユーザーの端末のタイプ、個人のコンフィギュレーション（ｃｏｎｆｉｇｕｒａｔｉｏｎ）及び他の目的のための関連情報が記憶されている。ブリッジ２３、２４、２５は、ＷＡＰ又はＭＡＰなどの異なるプロトコルからの問い合わせをＨＴＴＰ、ＴＣＰ又はＦＴＰなどのインターネットに適合したプロトコルに変換する目的を有する。その問い合わせは、顧客部分２１を通過し、現在のウェブサイト、ファイル又はサービスが記憶されているインターネット上のサーバー又はサーバー群２６へと送られる。得られた情報は、各々のプロトコルを介して通信中央局５内の顧客部分２１へと送られ、変換ユニット２８へと送られる。この変換ユニット２８は、ユーザーの移動端末１に適合したプリントファイルに結果をプリントできるように全ての考え得る且つ既存のファイルフォーマットを開き且つ読むことができるアプリケーションを備えている。このようなアプリケーションの例としてＰＤＦファイル（例えばアクロバットリーダー）、ＨＴＭＬファイル（例えばインターネットエクスプローラー）及びテキストファイル（例えばワード）を読むことができるアプリケーションが挙げられる。プリントファイルは、その後基地局３（衛星）を介してユーザーの移動端末１に送られるように圧縮され且つ任意的にコード化される。
【００２１】
ＰＯＰサーバー部分２９では、ファックスメッセージ及び添付の他のコンテンツをも含むユーザーの個人的なＥ−メールメッセージが記憶されている。ユーザーは、受信メッセージがＰＯＰサーバー部分２９に到達するとすぐに受信メッセージがプリントファイルに変換され且つプリントアウトのためにユーザーの移動端末１に送られるようにアカウントを設定（ｃｏｎｆｉｇｕｒｅ）してもよく、あるいはユーザーがメッセージをダウンロードしたい時間を決められるようにアカウントを設定してもよい。ＰＯＰサーバー部分は、通信中央局５内に位置する必要はなく、ユーザーは外部ＰＯＰサーバーにアクセスしてもよい。
【００２２】
このような又はいくつかの他の設定に関する情報は、データベース２２に記憶される。ユーザーの情報の問い合わせは、例えばユーザーの職場のメールボックス内のＥ−メールから構成されてもよく、この場合パスワード及び他の必要な情報をデータベース２２に記憶させてもよい。このようにユーザーは、いくつかのパスワードを入力する必要がない。一度、ユーザーがパスワード（例えばＰＩＮコード）を入力し、移動端末１によって認証されると、ユーザーは、自身がデータベースに登録した全ての情報検索源（例えば、ワークメールボックス又は他の外部ＰＯＰサーバー）にアクセス可能になる。この登録又はデータベースに入力される他の情報は、例えばウェブサイト、ＳＭＳサービス、Ｅ−メール、レター又は電話を介して多くの方法で実行される。
【００２３】
要求された情報又はサービスは、例えばインターネット上のウェブサイト、Ｅ−メール又は統一されたメッセージサーバー、ファックスサーバー、インターネットを介してアクセスされるオンラインデータベース、電話網、衛星、有線又は無線又はこれらの組み合わせなどの種々の供給源からアクセスされる。ユーザーが要求する情報又はサービスも通信中央局５に記憶させてもよい。ユーザーは、例えば、データベース２２中の自身の現在のセッティングをプリントしてもよい。
【００２４】
図４は図３を参照して説明した移動通信システムのプロセスを全体的に示す。図３と同じ部材には同じ符号を付してある。ユーザーが自身の好ましくは移動式プリント装置１１にいくつかの情報源からの情報を引き出す場合、ユーザーはいくつかの通信ネットワーク３１を介してリクエスト３０を通信中央局５へと送る。通信ネットワーク３１は、上述したように例えば、ＳＭＳ、ＷＡＰ、インターネット又は電話などのいかなるネットワークであってもよい。通信中央局５は、通信ネットワーク３１からのプリント命令（ｏｒｄｅｒ）を受け取るためのいくつかのインターフェースユニット３２（図３のブリッジ２３−２５に対応する）を含む。受け取られた命令は、その後、通信中央局５の中央ユニット３３によって処理される。ユーザーの識別は、ユーザープロファイルを含むデータベース２２によって認証される。中央ユニット３３は、上述したようなインターネット上のウェブサイト、Ｅ−メール又は統一されたメッセージサーバー、ファックスサーバー、インターネットを介してアクセスされるオンラインデータベース、電話網、衛星、有線又は無線又はこれらの組み合わせなどの種々の通信ネットワークを介して外部情報源からの情報をアクセスするための種々のインターフェースユニット３４を使用する。ユーザーが、例えばＥ−メールを呼び出したい場合、インターフェースユニット３４は、従ってメールエージェント（図３のＰＯＰサーバー２９に対応する）から構成される。従って呼び出された情報は、ユーザーの好ましくは移動式のプリント装置１１に要求されたプリントファイルのプリントができるようにするための中央ユニット３３でコンパイルされ、フォーマットされる、この工程は図３の特に変換ユニット２８のところで説明済みである。通信中央局５は、種々の通信ネットワーク３７を介してユーザーの好ましくは移動式のプリント装置１１への引渡し（ｄｅｌｉｖｅｒｙ）ができるようにするためのいくつかのインターフェースユニット３６（図３のブリッジ２３−２５に対応する）を有する。従ってプリントファイルは、ユーザーの好ましくは移動式のプリント装置１１でプリントされる。
【図面の簡単な説明】
【図１】
地上基地局との無線長距離通信用のビルトイン式ユニットを有する個別の移動端末と本発明の移動端末用の通信中央局の略図。
【図２】
地上基地局との無線長距離データ通信用のユニットが設けられた他の同等の端末との無線長距離データ通信用のビルトイン式ユニットを有する移動端末の別の態様を示す。
【図３】
通信中央局、その構成装置及び本発明の移動通信システムのソフトウェアー環境設定全体の略図。
【図４】
図３に示した移動通信システムのプロセス全体の略図。
【国際公開パンフレット】
2004511989.tif 000003
2004511989.tif 000004
2004511989.tif 000005
2004511989.tif 000006
2004511989.tif 000007
2004511989.tif 000008
2004511989.tif 000009
2004511989.tif 000010
2004511989.tif 000011
2004511989.tif 000012
2004511989.tif 000013
2004511989.tif 000014
2004511989.tif 000015
2004511989.tif 000016
2004511989.tif 000017
2004511989.tif 000018
2004511989.tif 000019
【国際調査報告】
2004511989.tif 000020
2004511989.tif 000021
2004511989.tif 000022